(57)【要約】  【課題】施錠時に、自動的にクレセントの回動を阻止するように動作するサブロック機構を備えたクレセント錠において、サブロックの解除からクレセントの解錠までの操作を片手で円滑に行えるようにする。  【解決手段】サブロック機構１０は、前記操作レバー６の回動軸４に連結された回動子１１と、この回動子１１の回動阻止位置と、前記回動子１１から離間し回動子１１の回動を許容する回動許容位置との間でスライド可能に設けられるとともに、付勢手段により前記回動子１１側方向に付勢されたサブロック操作片１３とからなる。前記サブロック操作片１３は、前記回動許容位置へ移動させた際に、該サブロック操作片１３を回動許容位置に仮保持する第１係合部材１３Ｃと、この回動許容位置に保持された状態で操作レバー６を回動操作した際に、前記回動子１１の一部が衝合し前記サブロック操作片１３の仮保持を解除する第２係合部材１３Ｄを備える。【選択図】図３
2006070560.tif 000002
【特許請求の範囲】
【請求項１】
室内障子側に固定されるベース部材と、このベース部材に対して回動軸を回転中心として回動自在に取り付けられたクレセントと、このクレセントを回動操作する操作レバーとを備える施錠側金具、及び室外障子側に固定され前記クレセントが係合するためのクレセント受け金具からなるとともに、前記施錠側金具に施錠時に操作レバーの回動を阻止するサブロック機構が設けられたクレセント錠において、
前記サブロック機構は、前記操作レバーの回動軸に一体的に連結されるとともに、周面部にサブロック用係合段部を有する回動子と、この回動子のサブロック用係合段部に係合することにより前記回動子の回動を阻止するサブロック状態位置と、前記回動子から離間し回動子の回動を許容するサブロック解除状態位置との間でスライド可能に設けられるとともに、付勢手段により前記回動子側方向に付勢されたサブロック操作片とからなり、
前記サブロック操作片は、前記サブロック解除状態位置へ移動させた際に、他部材への係合によって、該サブロック操作片を前記サブロック解除状態位置に仮保持する第１係合部材と、このサブロック解除状態位置に保持された状態で操作レバーを回動操作した際に、前記回動子の一部が衝合することにより前記サブロック操作片の仮保持を解除するための第２係合部材とを備えることを特徴とするクレセント錠。
【請求項２】
前記第１係合部材及び第２係合部材は、共にサブロック操作片から垂下する垂下片とし、前記第１係合部材はベース部材に形成された受け係合部への係合突部を有し、前記第２係合部材は回動子の一部が衝合する衝合段部を有する請求項１記載のクレセント錠。
【発明の詳細な説明】
【技術分野】
【０００１】
本発明は、施錠時に、自動的にクレセントの回動を阻止するように動作するサブロック機構を備えたクレセント錠に関する。
【背景技術】
【０００２】
従来より、引き違い窓等のサッシ用施錠装置としてクレセント錠が知られている。このクレセント錠は、図７に示されるように、室内障子の縦框（召合せ框）に取り付けられる取付けベース５０と、この取付けベース５０に対してクレセント軸５１を介して回動自在に取り付けられたクレセント５２と、このクレセントを回動操作する操作レバー５３とを備える施錠側金具、及び室外障子側に固定され前記クレセント５２が係合するためのクレセント受け金具（図示せず）からなるもので、このクレセント５２に一体的に連結された操作レバー５３を掴み、ほぼ１８０°の範囲で回動させることにより、クレセント５２を室外側障子に取り付けられたクレセント受け金具に係脱させるようにした引き違い障子等のための施錠装置である（例えば、下記特許文献１等参照）。
【０００３】
近年、この種のクレセント錠においても、同図に示されるように、防犯等の配慮から施錠状態において、クレセント５２の回動を阻止するために上下方向にスライド可能なサブロック操作片５４を設けたサブロック機構が採用されている。
【０００４】
しかし、上記したような手動操作によるサブロック機構の場合は、施・解錠時毎に、サブロック操作片５４をスライド操作しなければならない点で不便であるとともに、サブロックを掛け忘れることもあった。
【０００５】
そこで、下記特許文献２では、施錠時に自動的にクレセントの回動を阻止するように動作するサブロック機構を有するクレセント錠が提案されている。具体的に、前記クレセント錠は、クレセントの回動軸がベース部材内に延在し、この回動軸に回動子が連結される一方、前記ベース部材内には、回動子と係合して前記回動子をロックする位置と、前記回動子との係合が解除されて前記回動子のロックを解除する位置との間をスライドするストッパー片が設けられ、かつ前記ストッパー片のバネ受け部とベース部材のバネ受け部との間にはストッパー片をロック位置方向に常時付勢するバネ材が設けられている。そして、クレセントを施錠方向に回動させると、前記バネ材の付勢力により自動的にストッパー片がロック位置にスライドしてクレセントの解錠方向への回動が阻止されるようになっている。
【特許文献１】特開２０００−１７０４２５号公報
【特許文献２】実用新案登録第２５９１７８８号公報
【発明の開示】
【発明が解決しようとする課題】
【０００６】
しかしながら、上記特許文献２に示されるクレセント錠の場合は、クレセント錠を解錠する際、ストッパー片をロック解除側位置までスライドさせたならば、付勢力によりストッパー片が元の位置（ロック位置）に戻らないように片手で押さえながら、もう一方の手でクレセントを回動操作しなければならないため、解錠操作が煩雑で、かつ操作に両手を必要とするなどの問題があった。
【０００７】
そこで、本発明の主たる課題は、施錠時に自動的にクレセントの回動を阻止するように動作するサブロック機構を備えたクレセント錠において、サブロックの解錠操作を片手で円滑に行えるようにすることにある。
【課題を解決するための手段】
【０００８】
前記課題を解決するために請求項１に係る本発明として、室内障子側に固定されるベース部材と、このベース部材に対して回動軸を回転中心として回動自在に取り付けられたクレセントと、このクレセントを回動操作する操作レバーとを備える施錠側金具、及び室外障子側に固定され前記クレセントが係合するためのクレセント受け金具からなるとともに、前記施錠側金具に施錠時に操作レバーの回動を阻止するサブロック機構が設けられたクレセント錠において、
前記サブロック機構は、前記操作レバーの回動軸に一体的に連結されるとともに、周面部にサブロック用係合段部を有する回動子と、この回動子のサブロック用係合段部に係合することにより前記回動子の回動を阻止するサブロック状態位置と、前記回動子から離間し回動子の回動を許容するサブロック解除状態位置との間でスライド可能に設けられるとともに、付勢手段により前記回動子側方向に付勢されたサブロック操作片とからなり、
前記サブロック操作片は、前記サブロック解除状態位置へ移動させた際に、他部材への係合によって、該サブロック操作片を前記サブロック解除状態位置に仮保持する第１係合部材と、このサブロック解除状態位置に保持された状態で操作レバーを回動操作した際に、前記回動子の一部が衝合することにより前記サブロック操作片の仮保持を解除するための第２係合部材とを備えることを特徴とするクレセント錠が提供される。
【０００９】
上記請求項１記載の本発明においては、サブロック操作片に対して、サブロック解除状態位置へ移動させた際に、他部材（ベース部材又は別途設けた固定部材）への係合によって、該サブロック操作片を前記サブロック解除状態位置に仮保持する第１係合部材とともに、サブロック解除状態位置に保持された状態で操作レバーを回動操作した際に、前記回動子の一部が衝合することにより前記サブロック操作片の仮保持を解除し、前記付勢手段によりサブロック操作片を元の状態に戻す第２係合部材を備えるようにした。
【００１０】
従って、クレセント錠及びサブロックの施錠状態から解錠したい場合には、片手で前記サブロック操作片を解除方向に移動すると、該解除位置で仮保持されるため、そのまま操作レバーに手を持ち変えて、操作レバーを解錠方向に回動操作可能となる。
【００１１】
次に、操作レバーを解錠方向に回動させると、回動子の一部（通常はサブロック係合段部）が前記第２係合部材に衝合し、前記サブロック操作片の仮保持を解除すると、前記付勢手段によりサブロック操作片を元の状態、すなわち次にクレセント錠の施錠を図るために、操作レバーを回動させると、サブロック操作片の一部が回動子のサブロック係合段部に自動的に係合し、自動的にサブロックできる状態に戻ることになる。
【００１２】
請求項２に係る本発明として、前記第１係合部材及び第２係合部材は、共にサブロック操作片から垂下する垂下片とし、前記第１係合部材はベース部材に形成された受け係合部への係合突部を有し、前記第２係合部材は回動子の一部が衝合する衝合段部を有する請求項１記載のクレセント錠が提供される。
【発明の効果】
【００１３】
以上詳説のとおり本発明によれば、施錠時に自動的にクレセントの回動を阻止するように動作するサブロック機構を備えたクレセント錠において、サブロックの解錠操作を片手で円滑に行えるようになる。
【発明を実施するための最良の形態】
【００１４】
以下、本発明の実施の形態について図面を参照しながら詳述する。
【００１５】
図１は本発明に係るクレセント錠１の(A)は正面図、(B)は左側面図、(C)は右側面図、(D)は平面図であり、図２は縦断面図、図３(A)は施錠状態、(B)は解錠状態を夫々示す裏面図である。
【００１６】
先ず、クレセント錠１は、室内障子の召合せ框にビス等で取り付けられるベース部材３と、このベース部材３に対して回動軸４を回転中心として回動自在に取り付けられたクレセント５と、前記回動軸４と一体的に連設された操作レバー６とからなり、室内障子の召合せ框にビス孔７，７を介してビス等で取り付けられる施錠側金物２、及び室外障子の召合せ框にビス等で取り付けられ、前記クレセント５を係合させるためのフック部を有するクレセント受け金具（図示せず）からなる。なお、前記ベース部材３のビス固定部にはビスカバー８Ａ・８Ｂが取り付けられている。
【００１７】
前記クレセント錠１は、図３に示されるように、前記操作レバー６を摘み、クレセント５をほぼ１８０°範囲で回動させることにより、クレセント５の周囲に形成された、壁高を漸次テーパー状に変化させた環状周壁５Ａがクレセント受け金具に対して係脱し、窓の施錠または解錠が成されるようになっている。なお、符号９はベース部材３の一端と、後述する回動子１１の一端とを連結している第１バネ部材であり、クレセント５の回動時に操作レバー６を水平の状態から施錠位置および解錠位置に対して付勢させるためのものである。符号３ａはサブロック時に、外部に露出することにより施錠状態の確認ができるようにするために、ベース部材３に埋め込まれたマーカー（蛍光材）である。
【００１８】
本クレセント錠１では、施錠状態時に、自動的にクレセント５の回動を阻止するように動作するサブロック機構１０を備えている。すなわち、前記クレセント錠１を施錠したならば、自動的に前記サブロック機構１０が作動してクレセント５の回動が阻止されるようになっている。
【００１９】
前記サブロック機構１０は、詳しくは図２及び図３に示されるように、前記操作レバー６の回動軸４に一体的に連結されるとともに、周面部にサブロック用係合段部１１ｃを有する回動子１１と、この回動子１１のサブロック用係合段部１１ｃに係合することにより前記回動子１１の回動を阻止するサブロック状態位置と、前記回動子１１から離間し回動子１１の回動を許容するサブロック解除状態位置との間でスライド可能に設けられるとともに、第２バネ材１２等の付勢手段により前記回動子１１側方向に付勢されたサブロック操作片１３とからなるものであり、本サブロック機構１０では特に、サブロックの解錠操作から操作レバーの回動操作を順に、片手だけで円滑に行えるように、前記サブロック操作片１３に対して、前記サブロック解除状態位置へ移動させた際に、ベース部材３に設けた受け係合部３ｂへの係合によって、該サブロック操作片１３を前記サブロック解除状態位置に仮保持する第１係合部材１３Ｃと、このサブロック解除状態位置に保持された状態で操作レバー６を回動操作した際に、前記回動子１１の一部が衝合することにより前記サブロック操作片１３の仮保持を解除し、前記第２バネ材１２によりサブロック操作片１３を元の状態に移動させるための第２係合部材１３Ｄとが設けられている。
【００２０】
以下、前記サブロック機構１０について、さらに詳細に部材毎に構造を詳述するとともに、作動状態について詳述する。
【００２１】
先ず、前記回動子１１は、詳細には図４に示されるように、内部に回動軸４の挿通孔１１ａが形成された略複合円弧状の小片部材であり、同図(A)において、左側約３分の２部分が相対的に小円弧状に形成された小円弧部１１Ａ、残る図中右側３分の１の部分が相対的に大径の円弧状に形成された大円弧部１１Ｂとなっており、前記小円弧部１１Ａと大円弧部１１Ｂとの一方側段部が、サブロック用係合段部１１ｃとなっている。前記大円弧部１１Ｂの表面側には、第１バネ部材９の係止突起１１ｂが設けられている。ベース部材３に対する取付け状態では、クレセント５の回動軸４を挿通孔１１ａにカシメることによって抜脱不能に取り付けられる。
【００２２】
次いで、前記サブロック操作片１３は、詳細には図５に示されるように、上下方向へのスライドにより前記回動子１１と係脱するロック片１３Ａと、指を掛け前記ロック片１３Ａをスライドさせるための摘み部１３Ｂとからなる小片部材である。
【００２３】
前記ロック片１３Ａは、図示では水平方向に長いブロック体であり、その先端１３ａが前記回動子１１のサブロック用係合段部１１ｃに係合することにより、回動子１１の回動を阻止するようになっている。
【００２４】
前記ロック片１３Ａの室内側寄り位置には、離間をおいて２つの垂下片が形成されている。一方の垂下片が第１係合部材１３Ｃであり、他方の垂下片が前記第２係合部材１３Ｄである。前記第１係合部材１３Ｃは、先端部分にベース部材３の壁面側に向けた係合突部１３ｃを有し、前記第２係合部材１３Ｄは前記第１係合部材１３Ｃよりも長く形成され、その先端部に回動子１１側に突出する衝合段部１３ｄが形成されている。また、前記ロック片１３Ａの上面には、上方に突出するように第２バネ材１２のバネ係止突起１３ｅが設けられている。
【００２５】
一方、前記ベース部材３は、図３及び図６に示されるように、前記サブロック操作片１３の第１係合部材１３Ｃに対応する受け係合部３ｂが側壁の内面に設けられるとともに、前記サブロック操作片１３のバネ係止突起１３ｅと離間をおいて対峙するように第２バネ材１２のもう一方のバネ係止突起３ｃが設けられている。
【００２６】
前記サブロック用操作片１３のベース部材３に対する組込みは、図３に示されるように、摘み部１３Ｂを外部に露出させた状態で、上下方向に移動可能な状態で組み込むとともに、第２バネ材１２によりサブロック操作片１３を回動子１１側に向けて付勢的に保持するようにする。
【００２７】
次いで、本クレセント錠１における作動状態を図６により説明する。
【００２８】
先ず、図６(A)は操作レバーが下向きとなる解錠状態（図３参照）を示したものである。この状態から操作レバー６を回動させて施錠を行うと図６(B)に示されるように、大円弧部１１Ｂの終端がロック片１３Ａを越えると、サブロック操作片１３が回動子１１側に付勢されているため、前記ロック片１３Ａが回動子１１のサブロック用係合段部１１ｃに係合し、操作レバー６の回動が阻止される。
【００２９】
再度解錠をする場合には、図６(C)に示されるように、サブロック操作片１３の摘み部１３Ｂに指をかけ、第２バネ部材１２の付勢力に抗して上方にスライドさせると、第１係合部材１３Ｃの係合突起１３ｃがベース部材３の受け係合部３ｂに係合することにより、サブロック操作片１３がサブロック解除状態位置に仮保持され、回動子１１が回動し得る空間が形成されることにより、操作レバー６の回動操作が可能となる。
【００３０】
この状態で、図６(D)に示されるように、操作レバー６を解錠方向に回動させると、前記回動子１１のサブロック用係合段部１１ｃがサブロック操作片１３の第２係合部材１３Ｄの衝合段部１３ｄに衝突し回動方向に蹴り落とす。すると、前記サブロック操作片１３の仮保持は解除され、第２バネ材１２の付勢力によりサブロック操作片１３が回動子１１側（下方向）に移動し、図６(A)に示される元の状態となる。
【００３１】
〔他の形態例〕
(1)本形態例では、前記第１係合部材１３Ｃ及び第２係合部材１３Ｄは、バネ性を持たせるために、共にサブロック操作片から垂下する垂下片としたが、この構造には限定されない。例えば、前記第１係合部材１３Ｃは板面に形成した単なる突起物として形成することができ、前記第２係合部材１３Ｄは板面から水平方向に突出した突片として形成することができる。
【図面の簡単な説明】
【００３２】
【図１】本発明に係るクレセント錠１の(A)は正面図、(B)は左側面図、(C)は右側面図、(D)は平面図である。
【図２】クレセント錠１の縦断面図である。
【図３】クレセント錠１の(A)は施錠状態、(B)は解錠状態を示す裏面図である。
【図４】回動子１１の(A)は正面図、(B)は側面図、(C)は底面図である。
【図５】サブロック操作片１３の(A)は正面図、(B)は側面図、(C)は底面図である。
【図６】サブロック機構１０の作動図(A)〜(D)である。
【図７】従来のクレセント錠を示す裏面図である。
【符号の説明】
【００３３】
１…クレセント錠、２…施錠側金物、３…ベース部材、３ｂ…受け係合部、４…回動軸、５…クレセント、６…操作レバー、９…第１バネ材、１０…サブロック機構、１１…回動子、１１ｃ…サブロック用係合段部、１２…第２バネ材、１３…サブロック操作片、１３Ａ…ロック片、１３Ｂ…摘み部、１３Ｃ…第１係合部材、１３ｃ…係合突起、１３Ｄ…第２係合部材、１３ｄ…衝合段部
【図１】
2006070560.tif 000003
【図２】
2006070560.tif 000004
【図３】
2006070560.tif 000005
【図４】
2006070560.tif 000006
【図５】
2006070560.tif 000007
【図６】
2006070560.tif 000008
【図７】
2006070560.tif 000009